(57)【要約】【課題】  本考案は、パチンコ・スロットホールにて使用している電力線通信モデムに不具合がないか常に確認する機能を持ち、不具合があった場合にはその電力線通信モデムと同じ機能をもつバックアップ装置を提供することを課題とする。【解決手段】  ホールコンピューターに接続する電力線通信モデムにバックアップ装置を接続し、バックアップ装置から電力線通信モデムへ常に動作確認信号を送り、電力線通信モデムから動作確認信号を受信することで、電力線通信モデムの動作を確認する。電力線通信モデムからの動作確認信号がバックアップ装置に受信されなくなった時点で、不具合が生じたと判断し、バックアップ装置内の電力線通信モデムを使用するように切替を行う。【選択図】図１
0003134197.tif 000002
【実用新案登録請求の範囲】
【請求項１】
パチンコ遊技機および回胴式遊技機（スロットマシン）の遊技に関するデータを、電力線通信（ＰＬＣ）を介してパチンコ・スロットホール全体の遊技機の情報および売上の情報を処理するホールコンピューターと通信している遊技場において、
ホールコンピューターに接続している電力線通信モデムが正常に作動しているかを常に確認し、正常に作動していない場合には電力線通信モデムと同じ働きをする機能を持つバックアップ装置。
【考案の詳細な説明】
【技術分野】
【０００１】  本考案は、電力線通信（ＰＬＣ）をパチンコ・スロットホールにおいて使用するために必要な、電力線通信モデムのバックアップ装置に関するものである。
【背景技術】
【０００２】  電力線通信（ＰＬＣ：Ｐｏｗｅｒ  Ｌｉｎｅ  Ｃｏｍｍｕｎｉｃａｔｉｏｎ）は、電力を供給するために配設されている電力線を利用して情報を伝送するものであり、通信速度が高速である上に、通信線路を新たに敷設する必要がなく設備投資を抑える事が可能であるため、近年、インターネットアクセス用や家庭内のホームネットワークを構築するための通信手段として注目されている。電力線通信を利用するには、通常パソコンなどの電気機器と電力線の間に、電力線通信モデムを介する必要がある。
従来のパチンコ遊技機と回胴式遊技機（スロットマシン）各台の遊技情報と、玉貸出機、コイン貸出機などの売上情報は、ホールコンピューターへ送られる。情報を受け取ったホールコンピューターは、常に情報を処理するため、最新の遊技情報と売上情報を確認することができる。電力線通信でこれらの情報の伝送を行っているパチンコ・スロットホールの場合、電力線通信用モデムに不具合が生じた場合、情報の通信ができなくなり、ホールコンピューターでホールの現在の状況を把握できなくなってしまい、ホールの運営に影響が出てしまう。
【考案の開示】
【考案が解決しようとする課題】
【０００３】  従来の電力線通信システムでは、電力線通信モデムに不具合が生じた場合、ホールコンピューターへの情報の通信ができなくなり、ホールの運営に影響が出てしまう。
そこで、本考案は、このように通常使用している電力線通信モデムに不具合がないか常に確認する機能を持ち、不具合があった場合にはその電力線通信モデムと同じ機能をもつバックアップ装置を提供することを課題とする。
【課題を解決するための手段】
【０００４】  ホールコンピューターに接続する電力線通信モデムにバックアップ装置を接続し、バックアップ装置から電力線通信モデムへ常に動作確認信号を送り、電力線通信モデムから動作確認信号を受信することで、電力線通信モデムの動作を確認する。電力線通信モデムからの動作確認信号がバックアップ装置に受信されなくなった時点で、不具合が生じたと判断し、バックアップ装置内の電力線モデムを使用するように切替を行うことで、通信が遮断されることを防止することができる。
【考案の効果】
【０００５】  本考案のバックアップ装置によれば、電力線通信モデムに不具合が生じた場合でも通信が遮断されず、パチンコ・スロットホール内の電力線通信システム全体には影響がないようにできるので、常に安定したデータ通信が確保され、安心してホールの運営を行うことができる。
【考案を実施するための最良の形態】
【０００６】  図１は、パチンコ遊技場での本考案に係るバックアップ装置１１の実施例が示されている。図１に示されるように、バックアップ装置１１の側面には、動作確認信号の送受信を目視で確認できるように動作確認ＬＥＤランプ１２ａ、１２ｂがある。バックアップ装置１１の上部には、デジタル信号送受信口１３がある。バックアップ装置１１の下部には、電源供給及び電力線通信のための電源コード１４がある。【０００７】  電力線通信モデム３２への動作確認信号の送受信が確認できる場合は、動作確認ＬＥＤランプ１２ａは、緑色に点灯する。電力線通信モデム３２からの動作確認信号がバックアップ装置に受信されなくなった時点で、不具合が生じたと判断し、バックアップ装置１１内の電力線モデム部分２３を使用するように切替を行った場合は、動作確認ＬＥＤランプ１２ｂは、赤色に点灯する。
デジタル信号送受信口には、ＬＡＮケーブル（デジタル信号線３４）を差し込み、バックアップ装置１１と集線装置３３を接続する。【０００８】  図２は、パチンコ・スロットホールにて、電力線通信モデム利用時、実施例のバックアップ装置１１などの周辺機器の接続を図示したものである。集線装置３３は、ＬＡＮケーブルを集約・分岐する働きを持ち、電飾線通信モデム３２と、バックアップ装置１１と、ホールコンピューター３１とを接続する。
電力線通信モデム３２は、遊技場内のパチンコ遊技機と回胴式遊技機（スロットマシン）各台の遊技情報と、玉貸出機、コイン貸出機などの売上情報を、デジタルデータに転調し、集線装置３３に送信する。集線装置３３はそのデータをホールコンピューター３１とバックアップ装置１１に送信する。【０００９】  電力線通信モデムは、イーサネット信号と電力線通信信号（ＰＬＣ信号）を相互に変換する装置である。一般的には、パソコンなどの機器と電力線通信モデムをＬＡＮケーブルで接続し、電源ケーブルをコンセントに挿して使う。電力線通信モデムをつないだパソコンがデータを送信すると、そのデータは電力線通信モデムから電気配線を経由して相手先の電力線通信モデムに伝わり、再びＬＡＮケーブル経由で相手先のパソコンなどの機器に届けられる。【００１０】  バックアップ装置１１の内部は、信号受信部２１と信号送信部２２、さらに電力線通信モデムの働きをするモデム部分２３に分かれている。【００１１】  まず、バックアップ装置１１の内部にある、信号送信部２２について詳細な説明を行う。
信号送信部２２は、電力線通信モデム３２の動作を確認するために、電力線通信モデム３２とバックアップ装置１１を接続する電源コード１４を通じて、動作確認のためのアナログ信号を常に重畳する。動作確認のアナログ信号は、遊技情報などの信号とは全く別の信号である。【００１２】  次に、バックアップ装置１１の内部にある、信号受信部２１について詳細な説明を行う。
信号受信部２１は、信号送信部２２が送信する動作確認のためのアナログ信号が電力線通信モデム３２によりデジタル信号に転調されたデジタル信号を、デジタル信号線３４で受信することにより、電力線通信モデムが正常に動いていることを確認する。信号受信部２１は、信号が受信できなくなった場合、電力線通信モデム３２が正常に動作していないと判断し、バックアップ用の電力線モデム部分２３のスイッチが作動し、バックアップ用の電力線モデム部分２３が稼動する。バックアップ用の電力線モデム部分２３が稼動することで、電力線通信モデム３２に異常が発生しても、ホールコンピューターへ情報を送信することができる。【００１３】  図３は、通常の電力線通信モデム４２とホールコンピューター４１の接続の図である。本考案に係るバックアップ装置１１を用いていないため、電力線通信モデム４２に不具合が生じると、パチンコ遊技機と回胴式遊技機（スロットマシン）各台の遊技情報と、玉貸出機、コイン貸出機などの売上情報を、ホールコンピューター４１に送信することができなくなる。ホールコンピューター４１が、遊技情報と売上情報を受信できなくなると、パチンコ・スロットホールの売上などの把握が全くできなくなり、営業に支障が出る可能性がある。
【図面の簡単な説明】
【００１４】
【図１】  実施例のバックアップ装置の正面図
【図２】  実施例のバックアップ装置利用時の周辺機器接続の図
【図３】  従来の電力線通信モデムのみ利用時の周辺機器接続の図
【符号の説明】
【００１５】１１    本考案のバックアップ装置
１２ａ  動作確認ＬＥＤランプ
１２ｂ  動作確認ＬＥＤラン
１３    デジタル信号送受信口
１４    電源コード
２１    信号受信部
２２    信号送信部
２３    電力線通信モデム部分
３１    ホールコンピューター
３２    電力線通信モデム
３３    集線装置
３４    デジタル信号線
４１    ホールコンピューター
４２    電力線通信モデム
【図１】
0003134197.tif 000003
【図２】
0003134197.tif 000004
【図３】
0003134197.tif 000005